(57)【要約】【課題】  高さ寸法の異なる様々なタイプの浴槽に応じて、美観を損なうことなく且つ納まり良く、浴槽とカウンターとの間の配管を覆うことのできる配管カバー。【解決手段】  浴槽に応じた高さ位置において浴槽に隣接して浴槽側で壁面に取り付けられた第１カバー部材（１）と、第１カバー部材の浴槽側とは反対側およびカウンターに隣接して壁面に取り付けられた第２カバー部材（２）とを備えている。第２カバー部材の第１カバー部材側には、第１カバー部材に向かって突出し且つ第２カバー部材の壁面への取り付けに用いられる突出部（２ａ，２ｂ）が設けられている。第１カバー部材の第２カバー部材側には、突出部と壁面との間に介在し且つ突出部の鉛直方向寸法よりも実質的に長い鉛直方向寸法を有するガイド（１ａ，１ｂ）が設けられている。【選択図】  図２
2005334479.tif 000002
【特許請求の範囲】
【請求項１】
浴槽とカウンターとの間の配管を覆うための配管カバーにおいて、
前記浴槽に応じた高さ位置において前記浴槽に隣接して前記浴槽側で壁面に取り付けられた第１カバー部材と、
前記第１カバー部材の前記浴槽側とは反対側および前記カウンターに隣接して前記壁面に取り付けられた第２カバー部材とを備え、
前記第２カバー部材の前記第１カバー部材側には、前記第１カバー部材に向かって突出し且つ前記第２カバー部材の前記壁面への取り付けに用いられる突出部が設けられ、
前記第１カバー部材の前記第２カバー部材側には、前記突出部と前記壁面との間に介在し且つ前記突出部の鉛直方向寸法よりも実質的に長い鉛直方向寸法を有するガイドが設けられていることを特徴とする配管カバー。
【請求項２】
前記突出部は、ビス貫通用の孔が形成された第１プレートと、該第１プレートから鉛直方向に間隔を隔てて配置され且つビス貫通用の孔が形成された第２プレートとを有し、
前記ガイドは、前記第１プレートと前記壁面との間に介在し且つ前記第１プレートの鉛直方向寸法よりも実質的に長い鉛直方向寸法を有する第１ガイドプレートと、前記第２プレートと前記壁面との間に介在し且つ前記第２プレートの鉛直方向寸法よりも実質的に長い鉛直方向寸法を有する第２ガイドプレートとを有することを特徴とする請求項１に記載の配管カバー。
【発明の詳細な説明】
【技術分野】
【０００１】
本発明は、浴槽とカウンターとの間の配管カバーに関するものである。
【背景技術】
【０００２】
従来、たとえば浴槽に隣接して、石鹸やシャンプーなどを載置するための浴室カウンター（洗面器置きカウンター）を設ける構成が知られている。この場合、たとえば浴槽の水栓に接続されている給水給湯配管を途中で分岐し、分岐した給水給湯配管を浴室カウンターの内側の水栓へ導くことが提案されている。
【発明の開示】
【発明が解決しようとする課題】
【０００３】
しかしながら、従来技術では、高さ寸法の異なる様々なタイプの浴槽に応じて、美観を損なうことなく且つ大きな自由度を持って納まり良く、たとえば浴槽のエプロンの内側と浴室カウンターの内側との間の給水給湯配管を覆うことができなかった。
【０００４】
本発明は、前述の課題に鑑みてなされたものであり、高さ寸法の異なる様々なタイプの浴槽に応じて、美観を損なうことなく且つ大きな自由度を持って納まり良く、浴槽とカウンターとの間の配管を覆うことのできる配管カバーを提供することを目的とする。
【課題を解決するための手段】
【０００５】
前記課題を解決するために、本発明では、浴槽とカウンターとの間の配管を覆うための配管カバーにおいて、
前記浴槽に応じた高さ位置において前記浴槽に隣接して前記浴槽側で壁面に取り付けられた第１カバー部材と、
前記第１カバー部材の前記浴槽側とは反対側および前記カウンターに隣接して前記壁面に取り付けられた第２カバー部材とを備え、
前記第２カバー部材の前記第１カバー部材側には、前記第１カバー部材に向かって突出し且つ前記第２カバー部材の前記壁面への取り付けに用いられる突出部が設けられ、
前記第１カバー部材の前記第２カバー部材側には、前記突出部と前記壁面との間に介在し且つ前記突出部の鉛直方向寸法よりも実質的に長い鉛直方向寸法を有するガイドが設けられていることを特徴とする配管カバーを提供する。
【０００６】
本発明の好ましい態様によれば、前記突出部は、ビス貫通用の孔が形成された第１プレートと、該第１プレートから鉛直方向に間隔を隔てて配置され且つビス貫通用の孔が形成された第２プレートとを有し、前記ガイドは、前記第１プレートと前記壁面との間に介在し且つ前記第１プレートの鉛直方向寸法よりも実質的に長い鉛直方向寸法を有する第１ガイドプレートと、前記第２プレートと前記壁面との間に介在し且つ前記第２プレートの鉛直方向寸法よりも実質的に長い鉛直方向寸法を有する第２ガイドプレートとを有する。
【発明の効果】
【０００７】
本発明の配管カバーは、浴槽に応じた高さ位置において浴槽に隣接して浴槽側で壁面に取り付けられた第１カバー部材と、第１カバー部材の浴槽側とは反対側およびカウンターに隣接して壁面に取り付けられた第２カバー部材とにより構成されている。そして、第２カバー部材の第１カバー部材側には、第１カバー部材に向かって突出し且つ第２カバー部材の壁面への取り付けに用いられる突出部が設けられている。また、第１カバー部材の第２カバー部材側には、突出部と壁面との間に介在し且つ突出部の鉛直方向寸法よりも実質的に長い鉛直方向寸法を有するガイドが設けられている。
【０００８】
したがって、本発明では、たとえば突出部の鉛直方向寸法とガイドの鉛直方向寸法との差に対応する分だけ、第２カバー部材の突出部と第１カバー部材のガイドとの係合に関する上下方向の許容範囲が確保されている。その結果、高さ寸法の異なる様々なタイプの浴槽に応じて、また同じ高さ寸法であっても浴槽の取付け高さの施工誤差を吸収して、美観を損なうことなく且つ大きな自由度を持って納まり良く、浴槽とカウンターとの間の配管を覆うことができる。
【０００９】
なお、本発明では、突出部として、鉛直方向に間隔を隔てて配置されてビス貫通用の孔が形成された第１プレートと第２プレートとを有することが好ましい。また、これに対応して、ガイドとして、第１プレートと係合する第１ガイドプレートと第２プレートと係合する第２ガイドプレートとを有することが好ましい。この構成により、第１カバー部材および第２カバー部材の取付け安定性、並びに第１カバー部材と第２カバー部材との係合安定性が向上する。
【発明を実施するための最良の形態】
【００１０】
本発明の実施形態を、添付図面に基づいて説明する。
図１は、本発明の実施形態にかかる配管カバーの標準高さ位置における取付け状態を概略的に示す図である。また、図２は、本実施形態の配管カバーを構成する第１カバー部材および第２カバー部材の構成を概略的に示す斜視図である。
【００１１】
図１を参照すると、本実施形態の配管カバーは、鉛直方向に細長く延びる矩形状の形態を有する第１カバー部材１と第２カバー部材２とにより構成されている。そして、配管カバー（１，２）は、浴槽１０のエプロン（不図示）の内側と浴室カウンター（不図示）の内側との間に亘って延びる給水給湯配管（１１，１２）を覆うように壁面Ｗに取り付けられている。
【００１２】
第１カバー部材１は、浴槽１０に応じた高さ位置において、具体的にはその上端面が浴槽１０の外縁部１０ａの下端面に当接するような高さ位置において、浴槽１０に隣接して壁面Ｗに取り付けられている。一方、第２カバー部材２は、第１カバー部材１の浴槽１０側とは反対側および浴室カウンターに隣接して壁面Ｗに取り付けられている。図１に示す標準高さ位置における取付け状態において、第１カバー部材１の下端位置と第２カバー部材２の下端位置とがほぼ一致している。
【００１３】
図２を参照すると、第２カバー部材２の第１カバー部材１側には、ビス貫通用の孔が形成された第１プレート２ａと、第１プレート２ａから鉛直方向に間隔を隔てて配置され且つビス貫通用の孔が形成された第２プレート２ｂとが設けられている。また、第１プレート２ａと第２プレート２ｂとの間には、給水給湯配管（１１，１２）が貫通するための開口部２ｃが設けられている。さらに図示を省略したが、第２カバー部材２の上側にも給水給湯配管（１１，１２）が貫通するための開口部が設けられている。
【００１４】
一方、第１カバー部材１の第２カバー部材２側には、第２カバー部材２の第１プレート２ａと壁面Ｗとの間に介在し且つ第１プレート２ａの鉛直方向寸法よりも実質的に長い鉛直方向寸法を有する第１ガイドプレート１ａと、第２カバー部材２の第２プレート２ｂと壁面Ｗとの間に介在し且つ第２プレート２ｂの鉛直方向寸法よりも実質的に長い鉛直方向寸法を有する第２ガイドプレート１ｂとが設けられている。
【００１５】
また、第１ガイドプレート１ａと第２ガイドプレート１ｂとの間には、第２カバー部材２の開口部２ｃに対応するように、給水給湯配管（１１，１２）が貫通するための開口部１ｃを規定するための枠部材１ｄが設けられている。ただし、枠部材１ｄは、第２カバー部材２の開口部２ｃの鉛直方向寸法が第１カバー部材１の開口部１ｃの鉛直方向寸法よりも実質的に大きくなるように設定されている。
【００１６】
具体的には、第２カバー部材２の開口部２ｃの鉛直方向寸法と第１カバー部材１の開口部１ｃの鉛直方向寸法との差が、第２カバー部材２の各プレート（２ａ，２ｂ）の鉛直方向寸法と第１カバー部材１の各ガイドプレート（１ａ，１ｂ）の鉛直方向寸法との差とほぼ一致するように構成されている。
【００１７】
さらに、第１カバー部材１の浴槽１０側には、鉛直方向に間隔を隔てて配置されてビス貫通用の孔が形成された一対のプレート１ｅおよび１ｆが設けられている。そして、図示を省略したが、第１カバー部材１の浴槽１０側において一対のプレート１ｅと１ｆとの間には、給水給湯配管（１１，１２）が貫通するための開口部が設けられている。
【００１８】
本実施形態では、カウンターに隣接するように第２カバー部材２を壁面Ｗに取り付ける。具体的には、第１プレート２ａおよび第２プレート２ｂの貫通孔を通して壁面Ｗにビスをねじ込むことにより、第２カバー部材２を壁面Ｗに取り付ける。次いで、浴槽１０の高さ位置に応じて、すなわち第１カバー部材１の上端面が浴槽１０の外縁部１０ａの下端面に当接するように、第１カバー部材１を壁面Ｗに取り付ける。
【００１９】
このとき、第２カバー部材２の第１プレート２ａと壁面Ｗとの間に第１カバー部材１の第１ガイドプレート１ａが介在し、且つ第２カバー部材２の第２プレート２ｂと壁面Ｗとの間に第１カバー部材１の第２ガイドプレート１ｂが介在するように、第２カバー部材２に対して第１カバー部材１を位置決めする。そして、この位置決め状態において、一対のプレート１ｅおよび１ｆの貫通孔を通して壁面Ｗにビスをねじ込むことにより、第１カバー部材１を壁面Ｗに取り付ける。
【００２０】
このように、第２カバー部材２の第１プレート２ａおよび第２プレート２ｂは、第２カバー部材２の第１カバー部材１側から第１カバー部材１に向かって突出し且つ第２カバー部材２の壁面Ｗへの取り付けに用いられる突出部を構成している。また、第１カバー部材１の第１ガイドプレート１ａおよび第２ガイドプレート１ｂは、突出部としての第１プレート２ａおよび第２プレート２ｂと壁面Ｗとの間に介在し且つ突出部（２ａ，２ｂ）の鉛直方向寸法よりも実質的に長い鉛直方向寸法を有するガイドを構成している。
【００２１】
以上のように、本実施形態では、第１プレート２ａと壁面Ｗとの間に第１ガイドプレート１ａが介在し且つ第２プレート２ｂと壁面Ｗとの間に第２ガイドプレート１ｂが介在した状態で、第１カバー部材１が壁面Ｗに取り付けられる。また、開口部２ｃと開口部１ｃとの間の鉛直方向寸法差が、各プレート（２ａ，２ｂ）と各ガイドプレート（１ａ，１ｂ）との間の鉛直方向寸法差とほぼ一致するように構成されている。
【００２２】
したがって、たとえば各プレート（２ａ，２ｂ）と各ガイドプレート（１ａ，１ｂ）との間の鉛直方向寸法差に対応する分だけ、第２カバー部材２の各プレート（２ａ，２ｂ）と第１カバー部材１の各ガイドプレート（１ａ，１ｂ）との係合に関する上下方向の許容範囲が確保される。その結果、本実施形態では、高さ寸法の異なる様々なタイプの浴槽１０に応じて、美観を損なうことなく且つ大きな自由度を持って納まり良く、浴槽１０とカウンターとの間の配管を覆うことができる。
【００２３】
すなわち、図３に示すように、第２カバー部材２の取付け高さ位置に対する浴槽１０の相対的な高さ位置が図１の標準高さ位置状態よりも低い場合にも、上述した上下方向の許容範囲内において第２カバー部材２の取付け高さ位置に対する第１カバー部材１の相対的な取付け高さ位置を低くすることにより、第１カバー部材１と第２カバー部材２とにより納まり良く配管を覆うことができる。この場合、第１カバー部材１の下端位置が第２カバー部材２の下端位置よりも低くなる。
【００２４】
同様に、図４に示すように、第２カバー部材２の取付け高さ位置に対する浴槽１０の相対的な高さ位置が図１の標準高さ位置状態よりも高い場合にも、上述した上下方向の許容範囲内において第２カバー部材２の取付け高さ位置に対する第１カバー部材１の相対的な取付け高さ位置を高くすることにより、第１カバー部材１と第２カバー部材２とにより納まり良く配管を覆うことができる。この場合、第１カバー部材１の下端位置が第２カバー部材２の下端位置よりも高くなる。
【００２５】
また、本実施形態では、第２カバー部材２が鉛直方向に間隔を隔てて配置されてビス貫通用の孔が形成された第１プレート２ａと第２プレート２ｂとを有し、第１カバー部材１が第１プレート２ａに係合する第１ガイドプレート１ａと第２プレート２ｂに係合する第２ガイドプレート１ｂとを有する。この構成により、第１カバー部材１および第２カバー部材２を安定的に取り付けるとともに、第１カバー部材１と第２カバー部材２とを安定的に係合させることができる。
【００２６】
なお、給水給湯配管（１１，１２）のメンテナンスに際しては、一対のプレート１ｅおよび１ｆの貫通孔を介して壁面Ｗにねじ込まれたビスを緩めて取り外すことにより、第２カバー部材２を壁面Ｗに取り付けた状態で第１カバー部材１だけを壁面Ｗから取り外すことができる。さらに、必要であれば、第１プレート２ａおよび第２プレート２ｂの貫通孔を介して壁面Ｗにねじ込まれたビスを緩めて取り外すことにより、第２カバー部材２も壁面Ｗから取り外すことができる。
【図面の簡単な説明】
【００２７】
【図１】本発明の実施形態にかかる配管カバーの標準高さ位置における取付け状態を概略的に示す図である。
【図２】本実施形態の配管カバーを構成する第１カバー部材および第２カバー部材の構成を概略的に示す斜視図である。
【図３】第２カバー部材の取付け高さ位置に対する浴槽の相対的な高さ位置が図１の標準高さ位置状態よりも低い場合における取付け状態を概略的に示す図である。
【図４】第２カバー部材の取付け高さ位置に対する浴槽の相対的な高さ位置が図１の標準高さ位置状態よりも高い場合における取付け状態を概略的に示す図である。
【符号の説明】
【００２８】
１  第１カバー部材
１ａ  第１ガイドプレート
１ｂ  第２ガイドプレート
１ｃ  開口部
１ｄ  枠部材
２  第２カバー部材
２ａ  第１プレート
２ｂ  第２プレート
２ｃ  開口部
１０  浴槽
１１，１２  給水給湯配管
【図１】
2005334479.tif 000003
【図２】
2005334479.tif 000004
【図３】
2005334479.tif 000005
【図４】
2005334479.tif 000006